(57)【要約】【課題】複数の番組を効率的かつ効果的に視聴することができるようにする。【解決手段】映像表示部２１の画面に２つの小画面２１ａ，２１ｂを設定し、左側の小画面２１ａにチャンネルＡの番組の映像を表示し、右側の小画面２１ｂにチャンネルＢの番組の映像を表示し、下部の所定領域にチャンネルＢの文字放送を表示する。また、左側の小画面２１ａには音符マーク「♪」が表示され、音符マーク「♪」が表示された方の映像（ここではチャンネルＡの番組の映像）に対応する音声がスピーカ２２から出力される。【選択図】図４
2009005257.tif 000002
【特許請求の範囲】
【請求項１】
映像を表示する表示装置と音声を出力する音声出力部とを有するテレビジョン受像機であって、
複数のチャンネルの映像を前記表示装置の画面を仮想的に分割した各小画面に表示する表示制御手段と、
前記複数のチャンネルの映像のうちのいずれかのチャンネルの映像に対応する音声を前記音声出力部に供給する音声出力制御手段と、
前記チャンネルの映像のうち、少なくとも前記音声出力部によって音声が出力されていない映像に対応する文字放送を前記画面に表示する文字放送表示手段と
を備えることを特徴とするテレビジョン受像機。
【請求項２】
前記文字放送は、音声が出力されていない映像が表示された前記画面を仮想的に分割した前記小画面内に表示されることを特徴とする請求項１に記載のテレビジョン受像機。
【請求項３】
映像を表示する表示装置と音声を出力する音声出力部とを有するテレビジョン受像機であって、
複数のチャンネルの映像を前記表示装置の画面を仮想的に分割した各小画面に表示する表示制御手段と、
前記複数のチャンネルの映像のうちのいずれかのチャンネルの映像に対応する音声を前記音声出力部に供給する音声出力制御手段と、
前記チャンネルの映像のうち、少なくとも前記音声出力部によって音声が出力されていない映像に対応する文字放送を前記画面の文字放送表示領域に表示する文字放送表示手段と
を備えることを特徴とするテレビジョン受像機。
【請求項４】
前記文字放送表示領域は、前記画面を分割した各小画面の上下に形成され、前記文字放送は各小画面の上下に形成された前記文字放送表示領域のいずれか一方に表示される
ことを特徴とする請求項３に記載のテレビジョン受像機。
【請求項５】
前記文字放送表示領域は、前記画面を分割した各小画面の上下に形成され、前記映像の一方の文字放送は各小画面の上下に形成された前記文字放送表示領域の一方に表示され、前記映像の他方の文字放送は各小画面の上下に形成された前記文字放送表示領域の他方に表示される
ことを特徴とする請求項３に記載のテレビジョン受像機。
【請求項６】
前記文字放送表示領域は、前記画面を分割した各小画面の上、または下に形成され、前記文字放送は各小画面の上、または下に形成された前記文字放送表示領域に表示される
ことを特徴とする請求項３に記載のテレビジョン受像機。
【請求項７】
前記文字放送表示領域は、前記画面を分割した各小画面の上、または下に左右に分割して形成され、前記映像の一方の文字放送は各小画面の上、または下に左右に分割して形成された前記文字放送表示領域の一方に表示され、前記映像の他方の文字放送は各小画面の上、または下に左右に分割して形成された前記文字放送表示領域の他方に表示される
ことを特徴とする請求項３に記載のテレビジョン受像機。
【請求項８】
前記文字放送表示領域は、リモコン装置のボタン操作により、前記画面を分割した各小画面の上下、または上、または下に生成される
ことを特徴とする請求項３乃至７のいずれかに記載のテレビジョン受像機。
【発明の詳細な説明】
【技術分野】
【０００１】
本発明はテレビジョン受像機に関し、特に、複数チャンネルの映像を画面に同時に表示可能なテレビジョン受像機に関するものである。
【背景技術】
【０００２】
複数の文字放送番組を同一画面上に表示し、各番組を独立して更新することができるようにしたものがある（例えば、特許文献１参照）。
また、画面を２つの領域に分割してテレビジョン受像機映像と文字図形情報とを各領域に別々に表示することによって見やすくしたものがある（例えば、特許文献２参照）。
【特許文献１】特開平０１−３０９５８７号公報
【特許文献２】特開平０８−３３６０８３号公報
【発明の開示】
【発明が解決しようとする課題】
【０００３】
しかしながら、従来の方法では、複数の番組を同時に表示する場合に、各番組の文字放送と音声の出力方法については考慮されていないという問題があった。
本発明はこのような状況に鑑みてなされたものであり、複数の番組を同時に表示する場合に、文字放送の表示と音声出力を同時に行うことによって２つの番組の内容を同時に入手することができるテレビジョン受像機を提供することを目的とする。
【課題を解決するための手段】
【０００４】
請求項１に記載のテレビジョン受像機は、映像を表示する表示装置と音声を出力する音声出力部とを有するテレビジョン受像機であって、複数のチャンネルの映像を前記表示装置の画面を仮想的に分割した各小画面に表示する表示制御手段と、前記複数のチャンネルの映像のうちのいずれかのチャンネルの映像に対応する音声を前記音声出力部に供給する音声出力制御手段と、前記チャンネルの映像うち、少なくとも前記音声出力部によって音声が出力されていない映像に対応する文字放送を前記画面に表示する文字放送表示手段とを備えることを特徴とする。
また、前記文字放送は、音声が出力されていない映像が表示された前記画面を仮想的に分割した前記小画面内に表示されるようにすることができる。
請求項３に記載のテレビジョン受像機は、映像を表示する表示装置と音声を出力する音声出力部とを有するテレビジョン受像機であって、複数のチャンネルの映像を前記表示装置の画面を仮想的に分割した各小画面に表示する表示制御手段と、前記複数のチャンネルの映像のうちのいずれかのチャンネルの映像に対応する音声を前記音声出力部に供給する音声出力制御手段と、前記チャンネルの映像うち、少なくとも前記音声出力部によって音声が出力されていない映像に対応する文字放送を前記画面の文字放送表示領域に表示する文字放送表示手段とを備えることを特徴とする。
また、前記文字放送表示領域は、前記画面を分割した各小画面の上下に形成され、前記文字放送は各小画面の上下に形成された前記文字放送表示領域のいずれか一方に表示されるようにすることができる。
また、前記文字放送表示領域は、前記画面を分割した各小画面の上下に形成され、前記映像の一方の文字放送は各小画面の上下に形成された前記文字放送表示領域の一方に表示され、前記映像の他方の文字放送は各小画面の上下に形成された前記文字放送表示領域の他方に表示されるようにすることができる。
また、前記文字放送表示領域は、前記画面を分割した各小画面の上、または下に形成され、前記文字放送は各小画面の上、または下に形成された前記文字放送表示領域に表示されるようにすることができる。
また、前記文字放送表示領域は、前記画面を分割した各小画面の上、または下に左右に分割して形成され、前記映像の一方の文字放送は各小画面の上、または下に左右に分割して形成された前記文字放送表示領域の一方に表示され、前記映像の他方の文字放送は各小画面の上、または下に左右に分割して形成された前記文字放送表示領域の他方に表示されるようにすることができる。
また、前記文字放送表示領域は、リモコン装置のボタン操作により、前記画面を分割した各小画面の上下、または上、または下に生成されるようにすることができる。
【発明の効果】
【０００５】
本発明によれば、複数の番組の映像を同一画面内に同時に表示する場合でも、音声出力と文字放送の表示を同時に行うことによって、各番組の内容を一度にかつリアルタイムに入手することが可能となる。
【発明を実施するための最良の形態】
【０００６】
図１は、本発明が適用されるテレビジョン受像機の一実施の形態の構成例を示すブロック図である。以下、本実施の形態の構成例について説明する。
【０００７】
図１に示すように、本発明の実施の形態であるテレビジョン受像機５０は、アンテナ１１を介してデジタルテレビ放送の電波を受信し、所定のチャンネルを選局し、選局したチャンネルのデジタル放送信号（圧縮された映像データ、圧縮された音声データ、および圧縮されたＥＰＧ（Electronic Program Guide）データ、圧縮された文字放送データからなる）を出力するデジタルテレビ放送受信部１２と、デジタルテレビ放送受信部１２より出力されたデジタル放送信号を、圧縮された映像データ、圧縮された音声データ、圧縮されたＥＰＧデータ、圧縮された文字放送データに分離してそれぞれ出力するデマルチプレクサ１３と、デマルチプレクサ１３より出力された圧縮された映像データに対してデコード処理を行い、デコードされた映像データを出力する映像デコード部１４と、デマルチプレクサ１３より出力された圧縮された音声データに対してデコード処理を行い、デコードされた音声データを出力する音声デコード部１５と、デマルチプレクサ１３より出力された圧縮された文字放送データに対してデコード処理を行い、デコードされた文字放送データを出力する文字データ抽出部１７と、文字データ抽出部１７より出力された文字放送データを記憶する文字データ記憶部１８と、文字データ記憶部１８に記憶されている文字放送データに基づいて、文字放送のＯＳＤ表示データを生成し出力するＯＳＤ描画部１９と、映像デコード部１４より供給されたデコードされた映像データと、ＯＳＤ描画部１９より供給されたＯＳＤ用のＯＳＤ表示データとを合成し、合成映像信号を出力する映像／ＯＳＤ信号合成部２０と、音声デコード部１５より出力されたデコードされた音声データに対応する音声を出力する音声出力部（スピーカ）２２と、映像／ＯＳＤ信号合成部２０より出力された合成映像信号に対応する合成映像を表示する映像表示部２１と、後述するリモートコントローラ（リモコン装置）１００（図２）の図示しない送信部から赤外線等によって送信されてきた制御コマンド等を受信し、制御部１６に供給する受信部２３と、各部を制御する制御部１６等から構成されている。
【０００８】
図２は、ユーザによるボタン操作に応じた制御コマンド等を赤外線等によりテレビジョン受像機５０に送信するリモートコントローラ（リモコン装置）１００の一実施の形態の外観図を示している。図２に示すように、リモコン装置１００は、電源をオン／オフするときに操作される電源ボタン１１０と、チャンネルを選択するときに操作される複数のボタンからなるチャンネル選択部１２０と、テレビジョン受像機５０の画面上に表示された映像調整メニュー等の各種メニューの中の項目の所定のものにカーソルを移動させるとき、および選択された項目の値を調整するときや、後述するように、画面上の無画部分（無画の領域）の移動を指示するときなどにおいて用いられる上ボタン１３１、下ボタン１３２、左ボタン１３３、および右ボタン１３４と、現在の調整値を最終の調整値として設定し、調整作業を終了させるときや、無画部分の移動先を決定するときなどに操作される決定ボタン１４０と、音量を調節するときに操作される音量調節ボタン１５０と、メニューの表示または消去を指示するときに操作されるメニューボタン１６０と、後述する音声切換の指示を行うときに操作される音声切換ボタン１７０と、後述するマルチ文字放送表示を指示するときに操作されるマルチ文字放送表示ボタン１８０と、後述する１画面表示と２画面表示の切り換えを指示するときに操作される２画面表示切換ボタン１９０と、後述する無画部分の表示を指示する無画部表示切換ボタン２００と、後述する無画部の移動の開始を指示する無画部移動指示ボタン２１０等から構成されている。
【０００９】
また、リモコン装置１００は、図示しないが、各部を制御する制御部と、各種データを記憶する記憶部と、制御信号を赤外線等により送信する送信部とを有し、制御部は、電源ボタン１１０、チャンネル選択部１２０を構成する各ボタン、上ボタン１３１、下ボタン１３２、左ボタン１３３、右ボタン１３４、音量調節ボタン１５０、メニューボタン１６０、音声切換ボタン１７０、マルチ文字放送表示ボタン１８０、２画面表示切換ボタン１９０、無画部表示切換ボタン２００、および無画部移動指示ボタン２１０が操作されたとき、操作された各ボタンに対応する制御コマンドや制御データを生成し、送信部は、この制御コマンドや制御データに対応する制御信号を赤外線等により送信するようになっている。また、テレビジョン受像機５０には、受信部２３が設けられ、リモコン装置１００から送信されてきた制御コマンドや制御データを受信し、受信した制御コマンド等を制御部１６に供給するようになっている。
【００１０】
なお、２画面表示の状態でリモコン装置１００の無画部表示切換ボタン２００が操作されて無画部表示を指示する制御コマンドが送信部より送信され、「無画部分の形成」の指示があった場合、映像／ＯＳＤ信号合成部２０は、スケーリング機能にて２画面表示された領域を縮小して、無画部分を形成したうえで、ＯＳＤ描画部１９より供給されたＯＳＤ用のＯＳＤ表示データと合成し、また、無画部分が形成されている状態でリモコン装置１００の無画部移動指示ボタン２１０および上ボタン１３１または下ボタン１３２が操作されて、「無画部分の移動」の指示があった場合、映像／ＯＳＤ信号合成部２０は、２画面表示された領域を上、または下へ移動させたうえでＯＳＤ描画部１９より供給されたＯＳＤ用のＯＳＤ表示データと合成して出力する。
【００１１】
図３は、テレビジョン受像機１００の映像表示部２１を示している。映像表示部２１は、全領域に１つの番組の映像を表示する場合と、左右の２つの領域（小画面）に仮想的に分割してそれぞれ異なる番組の映像を表示する場合とがある。
【００１２】
図４は、映像表示部２１の第一の表示方法を示している。この場合、映像表示部２１の画面に２つの小画面２１ａ、２１ｂを設定し、左側の小画面２１ａにチャンネルＡ（ＣＨ−Ａ）の番組の映像を表示し、右側の小画面２１ｂにチャンネルＢ（ＣＨ−Ｂ）の番組の映像を表示する。図４（ａ）は、映像表示部２１の下部領域にチャンネルＢの文字放送を表示した例を示している。図４（ｂ）は、右側の小画面２１ｂの下部領域にチャンネルＢの文字放送を表示した例を示している。また、左側の小画面２１ａには音符マーク「♪」が表示されており、音符マーク「♪」が表示された方の映像（チャンネルＡの番組の映像）に対応する音声がスピーカ２２から出力されている。
【００１３】
即ち、制御部１６は、ユーザによってリモコン装置１００の２画面表示切換ボタン１９０が操作され、２画面表示が指示されるとともに、チャンネル選択部１２０のボタンが操作されて受信チャンネルが指示されることにより、リモコン装置１００の図示しない送信部から送信された２画面表示指示信号とチャンネル選局信号を受けて、デジタルテレビ放送受信部１２に対してアンテナ１１によって受信された受信信号から例えばチャンネルＡとチャンネルＢを選局し、各チャンネルの受信信号をデマルチプレクサ１３に供給するよう制御する。次に、音声デコード部１５に対して、チャンネルＡの番組に対応する音声をデコードし、音声出力部（スピーカ）２２に供給するように制御するとともに、デマルチプレクサ１３に対して、チャンネルＡおよびチャンネルＢの各番組の映像を映像デコード部１４および文字データ抽出部１７に供給するように制御する。
【００１４】
これにより、映像デコード部１４には、チャンネルＡとチャンネルＢの各番組の映像データが供給される。映像デコード部１４は、デマルチプレクサ１３より供給された各チャンネルの番組の映像データをそれぞれデコードし、各番組の映像（この例ではチャンネルＡとチャンネルＢの各番組の映像）を１画面内に表示するための表示データを生成して映像／ＯＳＤ信号合成部２０に供給する。
【００１５】
文字データ抽出部１７は、各チャンネルの各番組の文字放送データをそれぞれ抽出し、文字データ記憶部１８に供給して記憶させる。制御部１６は、チャンネルＢの文字放送データがＯＳＤ描画部１９に供給されるように制御する。ＯＳＤ描画部１９は、チャンネルＢの文字放送データからなるＯＳＤ表示データを生成し、映像／ＯＳＤ信号合成部２０に供給する。
【００１６】
映像／ＯＳＤ信号合成部２０は、映像デコード部１４より供給された映像データと、ＯＳＤ描画部１９より供給されたＯＳＤ表示データとから図４（ａ）に示したような表示を行うための表示データを生成し、映像表示部２１に供給する。これにより、映像表示部２１は、図４（ａ）に示したような表示を行う。また、スピーカ２２より、チャンネルＡの番組の音声が出力される。なお、チャンネルＢの文字放送データからなるＯＳＤ表示データを図４（ｂ）のように表示することで、チャンネルＢの文字放送データであることを明確にしても良い。文字放送データの表示位置は予め設定しておくこともできるし、表示位置を指示するための表示位置指定データをユーザがリモコン装置１００等を操作して適宜指定することができるようにすることもできる。
【００１７】
このようにして、チャンネルＡとチャンネルＢの２つの番組の映像が映像表示部２１の画面を分割して仮想的に形成された左右の各小画面２１ａ、２１ｂにそれぞれ表示されるとともに、スピーカ２２よりチャンネルＡの番組の音声が出力される。さらに、チャンネルＢの番組の文字放送が表示される。これにより、視聴者は、チャンネルＡおよびチャンネルＢの映像を同時に見ることができるとともに、チャンネルＡの番組の音声を聞くことができ、さらに、チャンネルＢの番組の文字放送を見ることができる。このチャンネルＢの番組の文字放送はチャンネルＢの音声に対応しているものとする。即ち、視聴者は、２つのチャンネルの番組の映像情報と音声情報とを同時に入手することが可能となる。尚、リモコン装置１００の音声切換ボタン１７０を押すことで、制御部１６の制御により、スピーカ２２からはチャンネルＢの番組の音声が出力され、チャンネルＡの番組の文字放送が表示されるように切り換えられる。
【００１８】
図５は、映像表示部２１の第二の表示方法を示している。図５（ａ）では、映像表示部２１の画面に２つの小画面２１ａ、２１ｂ（小画面２１ａ，２１ｂのアスペクト比が図４の場合とは異なる）を設定し、左側の小画面２１ａにチャンネルＡの番組の映像を表示し、右側の小画面２１ｂにチャンネルＢの番組の映像を表示する。また、映像表示領域の上下には、無画部分２１ｃ、２１ｄが帯状に形成されている。この例では、無画部分２１ｄの領域にチャンネルＢの文字放送が表示されている。また、左側の小画面２１ａには音符マーク「♪」が表示されており、音符マーク「♪」が表示された方の映像（チャンネルＡの番組の映像）に対応する音声がスピーカ２２から出力されている。
【００１９】
即ち、制御部１６は、第一の表示方法と基本的に同様の処理を行い、映像デコード部１４は、デマルチプレクサ１３より供給された各チャンネルの番組の映像データをデコードし、各番組の映像を１画面内に表示するための表示データを生成して映像／ＯＳＤ信号合成部２０に供給する。この場合、放送局から送られてくる各番組の映像のアスペクト比と、テレビジョン受像機５０の映像表示部２１の映像表示領域のサイズによっては、無画部分２１ｃ、２１ｄが帯状に形成される場合がある。また、第一の表示方法のように映像表示部２１の映像表示領域一杯に２画面表示されている状態で、テレビジョン受像機５０がリモコン装置１００の無画部表示切換ボタン２００が操作され、リモコン装置１００の図示しない送信部から送信されてきた「無画部形成」指示信号を受信することで、制御部１６の制御下、映像／ＯＳＤ信号合成部２０はチャンネルＡとチャンネルＢの各番組の映像データの映像歪が所定の基準範囲内となるようにスケーリング処理を行い、無画部分２１ｃ、２１ｄをそれぞれ形成する。
【００２０】
また、制御部１６の制御下、ＯＳＤ描画部１９は、チャンネルＢの文字放送データからなるＯＳＤ表示データを生成し、映像／ＯＳＤ信号合成部２０に供給する。映像／ＯＳＤ信号合成部２０は、映像デコード部１４より供給された映像データと、ＯＳＤ描画部１９より供給されたＯＳＤ表示データとから、図５（ａ）に示したような表示を行うための表示データを生成し、映像表示部２１に供給する。また、スピーカ２２より、チャンネルＡの番組の音声が出力され、チャンネルＢの番組の文字放送が無画部分２１ｄに表示される。これにより、視聴者は、チャンネルＡおよびチャンネルＢの映像を同時に見ることができるとともに、チャンネルＡの番組の音声を聞くことができ、さらに、チャンネルＢの番組の文字放送を見ることができる。尚、リモコン装置１００の音声切換ボタン１７０を押すことで、制御部１６の制御により、スピーカ２２からはチャンネルＢの番組の音声が出力され、無画部分２１ｄにはチャンネルＡの番組の文字放送が表示されるように切り換えられる。
【００２１】
なお、チャンネルＢの文字放送データからなるＯＳＤ表示データを図５（ｂ）のように無画部分２１ｄの右側（チャンネルＢの映像に近い側）に表示することで、チャンネルＢの文字放送データであることを明確にしても良い。また、チャンネルＢの文字放送データを図５（ａ）、（ｂ）の無画部分２１ｃに表示しても良い。更に、リモコン装置１００のマルチ文字放送表示ボタン１８０を操作して「マルチ文字放送表示」の指示を行った場合には、図５（ｃ）のように、例えばチャンネルＡの文字放送データを無画部分２１ｃに表示し、チャンネルＢの文字放送データを無画部分２１ｄに表示するようにしても良い。機能「マルチ文字放送表示」を使うシーンとしては、環境騒音（テレビジョン受像機５０が設置された場所の周囲の騒音）が大きすぎて、スピーカ２２から出力される音声が聞き難い場合や、夜間等で音量を下げて視聴したい場合等が考えられ、これらのシーンでは特に有効な機能となる。このように「マルチ文字放送表示」の際には、どちらのチャンネルの文字放送データかが判るように、無画部分にチャンネル名を挿入する（無画部分にチャンネル名を合成表示する）ことも１つの方法である。また、図５（ｂ）の表示方法においても、「マルチ文字放送表示」機能を使用することは可能である。
【００２２】
図６と図７は、映像表示部２１の第三の表示方法を示している。この場合は、映像表示部２１の画面に２つの小画面２１ａ、２１ｂを設定し、左側の小画面２１ａにチャンネルＡの番組の映像を表示し、右側の小画面２１ｂにチャンネルＢの番組の映像を表示し、映像表示部２１の上下に、無画部分２１ｃ、２１ｄが帯状に形成されている第二の表示方法の状態で、ユーザによってリモコン装置１００の無画部移動指示ボタン２１０が操作されて、テレビジョン受像機５０がリモコン装置１００から「無画部移動」指示信号を受信した後に、ユーザによるリモコン装置１００の上ボタン１３１，下ボタン１３２の操作によって送信された「移動方向」指示信号を受信部２３を介して受信した制御部１６の制御によって無画部分が、上または下に移動する。上述したように「無画部移動」指示信号は、リモコン装置１００の無画部移動指示ボタン２１０が操作されることにより、送信部より送信される。図６はリモコン装置１００の下ボタン１３２の押下げにより、映像表示部２１の下部領域に無画部分２１ｄが形成された状態を示しており、図７はリモコン装置１００の上ボタン１３１の押下げにより、映像表示部２１の上部領域に無画部分２１ｄが形成された状態を示している。
【００２３】
図６（ａ）は、映像表示部２１の下部領域に無画部分２１ｄが形成された状態を表し、無画部分２１ｄにはチャンネルＢの文字放送データが表示されている。また、図６（ａ）の状態でリモコン装置１００のマルチ文字放送表示ボタン１８０をユーザが操作して「マルチ文字放送表示」の指示を行った場合には、図６（ｂ）のように、例えばチャンネルＡの文字放送データが無画部分２１ｅ（映像表示部２１の下部左側の領域）に表示され、チャンネルＢの文字放送データが無画部分２１ｆ（映像表示部２１の下部右側の領域）に表示されることになる。ここで、無画部分２１ｅは無画部分２１ｄを仮想的に左右に均等に分割した場合の左側の領域であり、無画部分２１ｆは無画部分２１ｄを仮想的に左右に均等に分割した場合の右側の領域である。また、左側の小画面２１ａには音符マーク「♪」が表示されており、音符マーク「♪」が表示された方の映像（チャンネルＡの番組の映像）に対応する音声がスピーカ２２から出力されている。尚、リモコン装置１００の音声切換ボタン１７０を押すことで、制御部１６の制御により、スピーカ２２からはチャンネルＢの番組の音声が出力され、無画部分２１ｄにはチャンネルＡの番組の文字放送が表示されるように切り換えられる。
【００２４】
図７（ａ）は、映像表示部２１の上部領域に無画部分２１ｃが形成された状態を表し、無画部分２１ｃにはチャンネルＢの文字放送データが表示されている。また、図７（ａ）の状態でユーザがリモコン装置１００のマルチ文字放送表示ボタン１８０を操作して「マルチ文字放送表示」の指示を行った場合には、制御部１６の制御により、図７（ｂ）のように、例えばチャンネルＡの文字放送データが無画部分２１ｇ（映像表示部２１の上部左側の領域）に表示され、チャンネルＢの文字放送データが無画部分２１ｈ（映像表示部２１の上部右側の領域）に表示されることになる。また、左側の小画面２１ａには音符マーク「♪」が表示されており、音符マーク「♪」が表示された方の映像（チャンネルＡの番組の映像）に対応する音声がスピーカ２２から出力されている。尚、リモコン装置１００の音声切換ボタン１７０を押すことで、制御部１６の制御により、スピーカ２２からはチャンネルＢの番組の音声が出力され、無画部分２１ｃにはチャンネルＡの番組の文字放送が表示されるように切り換えられる。
【００２５】
以上、２画面表示の表示方法を説明したが、このような表示形態をとることで、視聴者は、各チャンネルの番組の音声情報に関して少なくとも文字放送データとして見ることができることになる。
【００２６】
なお、上記実施の形態の構成及び動作は例であって、本発明の趣旨を逸脱しない範囲で適宜変更することができることは言うまでもない。
【産業上の利用可能性】
【００２７】
本発明は、例えば、テレビジョン受像機だけでなく、映像、音声、文字情報を出力するその他の装置にも適用することができる。
【図面の簡単な説明】
【００２８】
【図１】本発明が適用されるテレビジョン受像機の一実施の形態の構成例を示すブロック図である。
【図２】リモコン装置の構成例を示す外観図である。
【図３】テレビジョン受像機の映像表示部を示す図である。
【図４】本発明が適用される映像表示部の第一の表示例を示す図である。
【図５】本発明が適用される映像表示部の第二の表示例を示す図である。
【図６】本発明が適用される映像表示部の第三の表示例のひとつを示す図である。
【図７】本発明が適用される映像表示部の第三の表示例のひとつを示す図である。
【符号の説明】
【００２９】
１１  アンテナ
１２  デジタルテレビ放送受信部
１３  デマルチプレクサ
１４  映像デコード部
１５  音声デコード部
１６  制御部
１７  文字データ抽出部
１８  文字データ記憶部
１９  ＯＳＤ描画部
２０  映像／ＯＳＤ信号合成部
２１  映像表示部
２２  音声出力部（スピーカ）
２３  受信部
５０  テレビジョン受像機
１００  リモートコントローラ（リモコン装置）
１１０  電源ボタン
１２０  チャンネル選択部
１３１  上ボタン
１３２  下ボタン
１３３  左ボタン
１３４  右ボタン
１４０  決定ボタン
１５０  音量調節ボタン
１６０  メニューボタン
１７０  音声切換ボタン
１８０  マルチ文字放送表示ボタン
１９０  ２画面表示切換ボタン
２００  無画部表示切換ボタン
２１０  無画部移動指示ボタン
【図１】
2009005257.tif 000003
【図２】
2009005257.tif 000004
【図３】
2009005257.tif 000005
【図４】
2009005257.tif 000006
【図５】
2009005257.tif 000007
【図６】
2009005257.tif 000008
【図７】
2009005257.tif 000009